(57)【要約】【課題】プリントシートを送り込むシート収納体が各搬送レーンに複数割り当てられているプリント装置において、複列プリントと単列プリントにおけるシート収納体の選択を効果的に行う技術を提供する。【解決手段】第１搬送レーンにプリントシートを送り込む第１シート収納体と第２搬送レーンに送り込む第２シート収納体とを装備する第１収納ステーションと、第１搬送レーンに送り込む第３シート収納体と第２搬送レーンに送り込む第４シート収納体とを装備する第２収納ステーション、シート収納体毎のプリントシート残量を算定するシート残量算定部４４、搬送レーンにプリントシートを送り込むシート収納体を選択する使用収納体選択手段４２が備えられている。使用シート収納体を選択する選択ルールが各シート収納体の残量を選択条件として設定され、複列プリントモード時と単列プリントモード時とで異なる選択ルールが用いられる。【選択図】図１
2011167983.tif 000002
【特許請求の範囲】
【請求項１】
互いに平行な第１搬送レーンと第２搬送レーンとを少なくとも備え、前記複数の搬送レーンを通じて搬送されてくる複列のプリントシートに画像を形成する複列プリントモードと、いずれか１つの搬送レーンを通じて搬送されてくる単列のプリントシートに画像を形成する単列プリントモードとを有するプリント装置において、
前記第１搬送レーンにプリントシートを送り込む第１シート収納体と前記第２搬送レーンにプリントシートを送り込む第２シート収納体とを装備する第１収納ステーションと、前記第１搬送レーンにプリントシートを送り込む第３シート収納体と前記第２搬送レーンにプリントシートを送り込む第４シート収納体とを装備する第２収納ステーションと、前記シート収納体毎のプリントシート残量を算定するシート残量算定部と、前記搬送レーンにプリントシートを送り込むシート収納体を選択する使用収納体選択手段とが備えられ、
前記搬送レーンにプリントシートを送り込むシート収納体を選択するシート収納体選択ルールが前記各シート収納体のプリントシート残量を選択条件として前記使用収納体選択手段によって利用可能に設定されており、前記複列プリントモード時と前記単列プリントモード時とで異なるシート収納体選択ルールが用いられるプリント装置。
【請求項２】
前記複列プリントモード時のシート収納体選択ルールでは、プリントシート残量が最も少ないシート収納体と当該シート収納体が属する収納ステーションの他のシート収納体とが選択される請求項１に記載のプリント装置。
【請求項３】
前記単列プリントモード時のシート収納体選択ルールでは、各収納ステーションに属するシート収納体同士が均等なプリントシート残量となるように、最もプリントシート残量差が大きな組み合わせとなっている収納ステーションに属するシート収納体のうちの最もプリントシート残量が大きなシート収納体が選択される請求項１または２に記載のプリント装置。
【請求項４】
前記複列プリントモードから単列プリントモードへの移行時には特別割り込みルールが前記シート収納体選択ルールとして適用され、前記特別割り込みルールでは、直前の複列プリントモードで使用されていた収納ステーションに属する、プリントシート残量が大きい方のシート収納体が選択される請求項１から３のいずれか一項に記載のプリント装置。
【発明の詳細な説明】
【技術分野】
【０００１】
本発明は、互いに平行な第１搬送レーンと第２搬送レーンとを少なくとも備え、この複数の搬送レーンを通じて搬送されてくる複列のプリントシートに画像を形成する複列プリントが可能なプリント装置に関する。
なお、ここで用いられているプリントシートなる語句は、プリント用用紙やプリントフィルムなどの記録媒体であり、あらかじめ短尺にカットされたカットシートやロール状に巻かれプリント前またはプリント後にカットされる長尺シートを含むものの総称である。また、搬送レーンとは、プリントシートを搬送するローラコンベヤやベルトコンベヤなどの搬送機構及びガイド機構を含むものとして用いられている。
【背景技術】
【０００２】
上記のような従来技術として、２列のレーン夫々に対してペーパーマガジンから長尺用紙（プリントシート）をインクジェット式のプリントヘッドに供給する搬送機構が備えられ、プリントヘッドで画像形成（プリント）された用紙を切断ユニットでカットするプリント装置が知られている（例えば、特許文献１参照）。この従来のプリント装置では、プリントヘッドに２つの搬送レーンで並列供給されてきた用紙に対して同時にプリントヘッドからインクを吐出させてプリントを行う複列プリントだけでなく、２つ搬送レーンのうちの一方のレーンに送り出す用紙が無くなった場合に、他方の用紙を用いて１つの搬送レーンでプリントを続行する単列プリントも可能となっている。その際、２つのペーパーマガジンに用紙が残っている場合には複列プリントを実行し、一方のペーパーマガジンにのみ用紙が残っている場合にはそのペーパーマガジンの用紙がなくなるまでそのペーパーマガジンを用いて単列プリントを実行するように、複列プリント処理と単列プリント処理が使い分けられている。しかしながら、一枚プリントや奇数枚数プリントが多い場合やその他の理由で２つのペーパーマガジンで片減りが生じて、一方のペーパーマガジンにだけかなりの残量が生じている場合、単列プリント処理が続くことになる。特に各レーンに複数の用紙供給部（ロール体やカットシートマガジンなどのシート収納体）が割り当てられているようなプリント装置では、各用紙供給部における用紙の利用を適切に選択しないと、プリント装置の効率的な利用ができないという不都合が生じる。
【先行技術文献】
【特許文献】
【０００３】
【特許文献１】特開２００５‐８８３２５号公報（〔段落番号０００９−００１８〕、図５）
【発明の概要】
【発明が解決しようとする課題】
【０００４】
上記実情に鑑み、本発明の目的は、複数の搬送レーンにプリントシートを送り込むシート収納体が、各搬送レーンに複数割り当てられているようなプリント装置において、複列プリントと単列プリントにおけるシート収納体の選択を効果的に行う技術を提供する。
【課題を解決するための手段】
【０００５】
互いに平行な第１搬送レーンと第２搬送レーンとを少なくとも備え、前記複数の搬送レーンを通じて搬送されてくる複列のプリントシートに画像を形成する複列プリントモードと、いずれか１つの搬送レーンを通じて搬送されてくる単列のプリントシートに画像を形成する単列プリントモードとを有するプリント装置において、上記目的を達成するため、本発明では、前記第１搬送レーンにプリントシートを送り込む第１シート収納体と前記第２搬送レーンにプリントシートを送り込む第２シート収納体とを装備する第１収納ステーションと、前記第１搬送レーンにプリントシートを送り込む第３シート収納体と前記第２搬送レーンにプリントシートを送り込む第４シート収納体とを装備する第２収納ステーションと、前記シート収納体毎のプリントシート残量を算定するシート残量算定部と、前記搬送レーンにプリントシートを送り込むシート収納体を選択する使用収納体選択手段とが備えられ、前記搬送レーンにプリントシートを送り込むシート収納体を選択するシート収納体選択ルールが前記各シート収納体のプリントシート残量を選択条件として前記使用収納体選択手段によって利用可能に設定されており、前記複列プリントモード時と前記単列プリントモード時とで異なるシート収納体選択ルールが用いられる。
【０００６】
この構成では、各シート収納体のプリントシート残量がシート残量算定部で算定されており、この各シート収納体のプリントシート残量を１つの条件とし、プリントモードが複列であるか単列であるかということを他の条件として、使用すべきシート収納体の選択が最適となるように設定することができる。これにより、各シート収納体を構成するプリントシートがいつまでも使い残って経時劣化する不都合や、同一搬送レーンに割り当てられているシート収納体間で片減りが生じて複列プリントに支障が生じるという不都合を抑制することができる。
【０００７】
前記複列プリントモード時のシート収納体選択ルールの好適なものとして、プリントシート残量が最も少ないシート収納体が属する収納ステーションのシート収納体が選択されるルールが提案される。これにより、これにより古く残っているプリントシートを早いうちに使いきってしまうことができるという利点が得られる。また、前記単列プリントモード時のシート収納体選択ルールの好適なものとして、各収納ステーションに属するシート収納体同士で均等なプリントシート残量となるようにシート収納体が選択されるルールが提案される。これにより、特定の収納ステーションにおけるシート収納体間での均等なプリントシートの使用が実現する。そして、その後の当該収納ステーションを用いた複列プリントモードでのプリントが実行される際に、両方のシート収納体が残量差を縮小した状態で消費されていくことになる。このこのことは、古くなったプリントシートがいつまでも残るという問題の解消に貢献する。
【０００８】
また、本発明の好適な実施形態の１つとして、前記複列プリントモードから単列プリントモードへの移行時には特別割り込みルールが前記シート収納体選択ルールとして適用され、前記特別割り込みルールでは、直前の複列プリントモードで使用されていた収納ステーションに属するシート収納体が選択される構成が提案される。この構成により、使用する収納ステーションを切り換えるために必要な切換時間をできるだけ節約することができる。
【図面の簡単な説明】
【０００９】
【図１】プリント収納体の選択を効果的に行うために、本発明によって提案される基本的な構成を示す模式図である。
【図２】本発明によるプリント装置の実施の形態の一例を示す断面模式図である。
【図３】コントローラにおける機能ブロック図である。
【図４】複列プリントのシート収納体の選択手順を示すフローチャートである。
【図５】単列プリントのシート収納体の選択手順を示すフローチャートである。
【発明を実施するための形態】
【００１０】
まず、複列プリントと単列プリントの両方が可能なプリント装置においてプリント収納体の選択を効果的に行うために、本発明によって提案される基本的な構成を図１の模式図を用いて説明する。
このプリント装置は、ここでは別構成となっているプリント注文受付装置とともにＤＰ店等に配置される。よく知られているように、プリント注文受付ユニットを通じて顧客によって入力された撮影コマ画像と当該撮影コマ画像に与えられた注文指示は、例えばＤＰＯＦのような写真プリントフォーマットの形式でプリント注文情報としてデータ化され、プリント装置に転送される。このプリント注文情報には各撮影コマ画像に対するプリント枚数やプリントサイズを規定しているプリント注文データと撮影コマ画像の集合体である画像データが含まれている。
【００１１】
このプリント装置は、互いに平行な第１搬送レーンと第２搬送レーンとを少なくとも備え、これらの複数の搬送レーンを通じて搬送されてくる複列のプリントシートに画像を形成する複列プリントモードと、いずれか１つの搬送レーンを通じて搬送されてくる単列のプリントシートに画像を形成する単列プリントモードとを有する。プリントシートに画像を形成するプリントヘッド１５は、第１搬送レーンと第２搬送レーンとで共通化されるが、各搬送レーンにプリントヘッド１５を設ける構成が本発明で排除されているわけではない。
【００１２】
図１で模式的に示されているように、シート搬送方向でプリントヘッド１５の上流側には、第１収納ステーションと第２収納ステーションとが配置されている。第１収納ステーションは、第１搬送レーンにプリントシートを送り込む第１シート収納体（図１ではNo.１で示されている）と前記第２搬送レーンにプリントシートを送り込む第２シート収納体（図１ではNo.２で示されている）とを装備する。第２収納ステーションは第１搬送レーンにプリントシートを送り込む第３シート収納体（図１ではNo.３で示されている）と前記第２搬送レーンにプリントシートを送り込む第４シート収納体（図１ではNo.４で示されている）とを装備している。収納ステーションは、一般的なプリント装置ではシートマガジンと称されるものと同等な機能を有し、ここでは、第１・第２・第３・第４シート収納体が長尺プリントシートを巻き取ったロールシート体として形成されている。このシート収納体はロールシート体に代えてカットシートを蓄積したカットシートカートリッジとして形成してもよい。
【００１３】
このプリント装置における重要な機能部として、上記の４つの各シート収納体のプリントシート残量（残りペーパ長さ）を算定するシート残量算定部４４と、受け取ったプリント注文を複列プリントモードと単列プリントモードとのいずれのプリントモードで実行するかを決定するプリントモード決定部４１と、第１・第２搬送レーンにプリントシートを送り込むシート収納体を選択する使用収納体選択手段４２とが備えられている。使用収納体選択手段４２は、複列プリントモードでのプリント処理と単列プリントモードでのプリント処理のそれぞれにおいて、シート残量算定部４４によって算定された各シート収納体のプリントシート残量を選択条件として、使用するシート収納体を決定する。つまり、第１シート収納体（No.１）のシート残量をｖ1、第２シート収納体（No.２）のシート残量をｖ2、第３シート収納体（No.３）のシート残量をｖ3、第４シート収納体（No.４）のシート残量をｖ4とすると、
複列プリントモードでの収納体選択ルール関数：Ｄは、
Ｄ(ｖ1,ｖ2,ｖ3,ｖ4)＝“１”、“２”、“０” で表すことができ、
ここで、“１”は第１ステーションに属するシート収納体の使用、“２”は 第２ステーションに属するシート収納体の使用、“０”は複列プリント不可である。
また、単列プリントモードでの収納体選択ルール関数：Ｓは、
Ｓ(ｖ1,ｖ2,ｖ3,ｖ4)＝“１１”、“１２”、“２１”、“２２”、“０” で表すことができ、
ここで、“１１”は第１ステーションに属する第１シート収納体の使用、“１１”は第１ステーションに属する第２シート収納体の使用、“２１”は 第２ステーションに属する第１シート収納体の使用、“２２”は 第２ステーションに属する第２シート収納体の使用、“０”は単列プリント不可、つまりプリントシートの補充要求である。
【００１４】
収納体選択ルール関数：ＤとＳは、テーブル化され、ルールテーブル４３として使用収納体選択手段４２に利用可能に登録されている。具体的には、収納体選択ルール関数：Ｄは、プリントシート残量が最も少ないシート収納体と当該シート収納体が属する収納ステーションの他のシート収納体とが選択されるように作成されている。また、収納体選択ルール関数：Ｓは、各収納ステーションに属するシート収納体同士が均等なプリントシート残量となるように、最もプリントシート残量差が大きな組み合わせとなっている収納ステーションに属するシート収納体のうちの最もプリントシート残量が大きなシート収納体が選択されるように作成されている。
【００１５】
さらに、好ましくは、複列プリントモードから単列プリントモードへの移行時には、複列プリントから単列プリントにおいて収納ステーションを切り換えるための切換時間を節約するために、強制的に前回に使用していた収納ステーションに属するシート収納体を使用する例外ルールが適用される。つまり、この例外ルールは複列プリントモードから単列プリントモードへの移行時に優先的に適用される特別割り込みルールであり、直前の複列プリントモードで使用されていた収納ステーションに属する、プリントシート残量が大きい方のシート収納体が今回の単列プリントのシート収納体として選択される。
【００１６】
使用すべきシート収納体が選択されると、その選択情報が使用収納体選択手段４２からプリントモード決定部４１に送られる。プリントモード決定部４１は、最終的に決定された使用すべきプリントモードとシート収納体の規定した指令をプリント制御モジュール５に転送する。プリント制御モジュール５は、受け取った指令に基づいた搬送制御動作を実行し、搬送されてきたプリントシートに対してプリントヘッド１５を駆動制御して画像データに基づく画像を形成する。
【００１７】
以下、上述した基本的構成を採用した本発明によるプリント装置の実施の形態を説明する。
図２に示すように、プリント装置は、筐体の下部に、第１収納ステーションとしての第１シートマガジン１１と第２シートマガジンとしての第２シートマガジン１２が上段と下段に配置されている。図２からは理解しにくいが、図１で模式的に示されているように、第１シートマガジン１１内部には、ロールシート体である第１シート収納体No.１と第２シート収納体No.２とが横並び配置されており、第２シートマガジン１２内部には、ロールシート体である第３シート収納体No.３と第４シート収納体No.４とが横並び配置されている。第１シートマガジン１１と第２シートマガジン１２は、筐体１０側面から引き出すスライド操作によって開放されるドロワー型であり、その開放状態でシート収納体の入れ換えが可能となる。なお、図示されていないが、各シート収納体にはプリントシートの送り出しと巻き取りとを行う圧着型のフィードローラが設けられている。
【００１８】
第１シート収納体No.１と第３シート収納体No.３とは第１搬送レーンにプリントシートを送り出し、第２シート収納体No.２と第４シート収納体No.４は第２搬送レーンにプリントシートを送り出すことができる。従って、複列プリント時には、第１シートマガジン１１を使用して第１シート収納体No.１と第２シート収納体No.２とからプリントシートを送り出すやり方と、第２シートマガジン１２を使用して第３シート収納体No.３と第４シート収納体No.４とからプリントシートを送り出すやり方とを選択できる。単列プリントでは、当然、任意のシート収納体を使用することができる。
【００１９】
図２では、第１搬送レーンと第２搬送レーンは共通的に二点鎖線で１つの搬送レーンとして示されており、実質的には、搬送ベルトを用いた搬送機構と搬送ローラを用いた搬送機構が搬送箇所に応じて適切に使い分けされている。シート収納体近傍の搬送レーンには、第１シートマガジン１１と第２シートマガジン１２からの各搬送レーンを合流させる合流レーン部１３、プリントヘッド１５にプリントシートを供給する供給ローラセット１４が備えられている。供給ローラセット１４は、手差しのプリントシートが導入される構造となっている。シート搬送方向でプリントヘッド１５の下流側には、プリントシートを指定された長さで切断するカッター１６、プリントシートの表裏を逆転させるスイッチバック機構１７と、プリントシートの乾燥を行う乾燥ユニット１８が備えられている。搬送レーンの最終部は、筐体１０から筐体１０の上面にプリントシートを排出する排出部１９である、ここから排出されたプリントシートは、搬送ベルトによってここでは図示されていないソータのトレーにプリント注文毎に蓄積される。
【００２０】
この実施形態で用いられているプリントヘッド１５は、インクジェット式であり、プリントシート搬送方向に直交する主走査方向に第１搬送レーンと第２搬送レーンとにまたがってスライド移動可能に構成されている。図示されていないが、プリントヘッド１５には、複数のインクカートリッジから異なる色相のインクが供給される。尚、夫々のインクの色相としては、ブラック（ＢＫ）、ライトブラック（ＬＫ）、シアン（Ｃ）、マゼンタ（Ｍ）、ライトシアン（ＬＣ）、ライトマゼンタ（ＬＭ）、イエロー（Ｙ）が用いられる。なお、プリントヘッド１５は、インクジェット式以外に、昇華方式、レーザプリント方式など種々の画像形成方式を採用することが可能であるが、銀塩プリント方式を採用する場合、後段に現像処理部が必要となる。
【００２１】
このプリント装置におけるプリントヘッド１５の駆動制御や、シート収納体から引き出されたプリントシートの搬送レーンを用いた搬送制御を行うためにコントローラ１００が筐体１０内部に設置されている。このコントローラ１００は、図３で示すように、実質的にはコンピュータによって構成されており、プログラム又はハードウエアあるいはその両方によってプリント処理に必要な制御機能を作り出している。なお、この実施形態では、プリント装置本体と、プリント注文受付ユニットとは別体構成となっている。従って、プリント受付ユニットにおいて顧客から指示に基づいてプリント注文情報生成モジュールによって生成された画像データやプリント注文データは、無線又は有線ＬＡＮを通じてコントローラ１００の入出力インターフェースに送信される。もちろん、キヨスク端末のような自動注文プリント装置では、プリント装置本体とプリント注文受付ユニットとが一体化されており、プリント注文情報生成モジュールもコントローラ１００に組み込むことができる。
【００２２】
コントローラ１００において構築される、画像処理モジュール３と、本発明に特に関する機能モジュールとして、シート選択モジュール４と、プリント制御モジュール５と、が挙げられる。画像処理モジュール３は、入力された画像データを、注文データに示された画像形成条件や予め設定されているフォトレタッチアルゴリズムに基づいて処理し、最終的なプリントデータを生成する。プリント制御モジュール５は、第１・第２搬送レーンを構成するプリントシート搬送機構の制御を行う搬送制御部５１と、プリントヘッド１５の駆動制御を行うプリントヘッド制御部５２を有する。
【００２３】
シート選択モジュール４は、プリントモード決定部４１、使用収納体選択手段４２、ルールテーブル４３、シート残量算定部４４、シート可能収納体管理部４５、注文単位使用量算定部４６を備えている。プリントモード決定部４１は、上述したように、プリント注文を複列プリントモードで処理するか単列プリントモードで行うかどうかを決定する機能を有するが、複列プリントモードの方が処理速度が速いので、基本的には複列プリントモードを決定するように構成されているが、プリントシート切れやその他の特別な理由が生じた際に単列プリントが決定される。使用収納体選択手段４２は、図１を用いた説明で述べたように、複列プリントモードでのプリント処理における第１シートマガジン１１と第２シートマガジンとの間の選択、及び単列プリントでの第１シート収納体No.１、第２シート収納体No.２、第３シート収納体No.３、第４シート収納体No.４からの選択を行う。その選択の際には、ルールテーブル４３に示された判定ルールが利用される。複列プリントモードで採用される判定ルールは、プリントシート残量が最も少ないシート収納体を含む収納ステーションを使用することであり、これにより古く残っているプリントシートを早いうちに使いきってしまうという意図がある。また、単列プリントモードで採用される判定ルールは、第１シート収納体No.１と第２シート収納体No.２との間の残量差と、第３シート収納体No.３と第４シート収納体No.４との間の残量差とで大きいほうの残量差となっている組み合わせの残量の大きいシート収納体を使用することである。これにより、第１シートマガジン１１と第２シートマガジンのそれぞれにおけるシート収納体の残量差が縮小し、均等な消費が実現する。その結果、その後の第１シート収納体No.１と第２シート収納体No.２あるいは第３シート収納体No.３と第４シート収納体No.４とを用いた複列プリントが実行される際にも、両方のシート収納体が残量差を縮小した状態で消費することができ、古くなったプリントシートがいつまでも残るという問題は解消される。
さらに、複列プリントモードから単列プリントモードへの移行時には例外ルールが適用されるが、その例外ルールは、直前の複列プリントモードで使用されていた収納ステーションに属する、プリントシート残量が大きい方のシート収納体を使用することである。これにより、使用する収納ステーションを切り換えるために必要な切換時間をできるだけ節約することができる。
【００２４】
シート残量算定部４４は、シート収納体に取り付けられたそれ自体は公知なシート残量センサからの信号によりそのシート収納体の残量を算定する。なお、シート残量算定部４４の別形態として、新規投入時に入力される最大プリントシール長さと、プリント制御モジュール５から送られるプリント処理情報とからソフトウエア的に演算して各シート収納体の残量を求めてもよい。
【００２５】
シート可能収納体管理部４５と注文単位使用量算定部４６はオプション的な機能を有する。シート可能収納体管理部４５は、現状で使用可能となっているシート収納体を確定して、使用収納体選択手段４５に与える。例えば、第４シート収納体Nｏ.４に特殊なシートペーパを収納している場合、通常の複列プリントにおける第２収納ステーション１２の使用禁止や単列プリントにおける第４シート収納体Nｏ.４の使用禁止などである。注文単位使用量算定部４６は、これから処理しようとするプリント注文からそのプリント処理を可能な全てのシート収納体使用パターンで行った後のシート収納体のシート残量を演算する。注文単位使用量算定部４６で演算された結果、シート残量がマイナスとなるシート収納体に対してはそのようなシート収納体使用パターンを選択しないように、使用収納体選択手段４５に要求する。
【００２６】
次に、上述したプリント装置における複列プリント時に使用するシート収納体の選択の流れを図４を用いて、単列プリント時に使用するシート収納体の選択の流れを図５を用いて説明する。なお、図４と図５のフローチャートでは、文字スペースを少なくするため、シート収納体を単に収納体、シートマガジンを単にマガジンというような文字の短縮化をおこなっている。
【００２７】
複列プリントでは、図4に示すように、まず残量チェックが行われる（＃０１）。この残量チェックは、シート残量算定部４４によるシート残量算定処理として行われ、第１シート収納体と第２シート収納体の少なくとも一方が空の場合、Ｍ１フラグに“１”がセットされる。第３シート収納体と第４シート収納体の少なくとも一方が空の場合、Ｍ２フラグに“１”がセットされる。なお、Ｍ１フラグとＭ２フラグは初期設定で“０”をセットされているとする。つまり、Ｍ１フラグに“１”がセットされていると、第１シート収納体と第２シート収納体のいずれかが空であるか、両方が空であるということを示している。Ｍ２フラグに“１”がセットされていると、第３シート収納体と第４シート収納体のいずれかが空であるか、両方が空であるということを示している。さらに、変数Ｍｉｎに４つのシート収納体のうちで最小のシート残量となっているシート収納体をセットしておく。
【００２８】
次に、「Ｍ１フラグが“１”でなく、かつＭ２フラグが“１”でない」という判定条件がチェックされる（＃０２）。この判定条件が成立しない場合は（＃０２No分岐）、第１シートマガジン１１と第２シートマガジンの両方が少なくともどちらかのシート収納体が空（プリントシート切れ）の状態であるため、複列プリントができないことになる。従って、複列プリント不可指令が出力される（＃１０）。この判定条件が成立する場合は（＃０２Yes分岐）、さらに、「Ｍ１フラグが“０”であり、かつＭ２フラグが“０”である」という判定条件がチェックされる（＃０３）。この判定条件が成立しない場合は（＃０３No分岐）、どちらかのシートマガジンだけが複列プリントが可能となるので、さらに「Ｍ１フラグが“０”である」という判定条件、つまり第１シートマガジン１１に属する第１シート収納体と第２シート収納体とが共にシート残量を有するかどうかという判定条件がチェックされる（＃０５）。この判定条件が成立しない場合は（＃０５No分岐）、第１シートマガジン１１による複列プリントが不可能ということになる。従って、第２シートマガジン１２による複列プリント指令が出力される（＃０９）。この判定条件が成立する場合は（＃０５Yes分岐）、第１シートマガジン１１による複列プリントが可能ということになる。従って、第１シートマガジン１１による複列プリント指令が出力される（＃０８）。
【００２９】
ステップ＃０３での判定条件が成立した場合は（＃０３Yes分岐）、どちらのシートマガジンでも複列プリントが可能となるので、さらに「変数Ｍｉｎにセットされたシート収納体が第１シートマガジンに属するかどうか」という判定条件、つまり最もシート残量が少ないシート収納体が第１シートマガジン１１に属するかどうかという判定条件がチェックされる（＃０４）。この判定条件が成立する場合は（＃０４Yes分岐）、僅かしか残っていないプリントシートを早く使い切るために第１シートマガジン１１による複列プリントを行うことになる。従って、第１シートマガジン１１による複列プリント指令が出力される（＃０７）。この判定条件が成立しない場合は（＃０４No分岐）、先と同じ理由で第２シートマガジン１２による複列プリントを行うことになる。従って、第２シートマガジン１２による複列プリント指令が出力される（＃０６）。
【００３０】
単列プリントでは、図５に示すように、初期処理として残量チェックが行われる。この残量チェックでは、まず、第１シートマガジン１１の第１シート収納体と第２シート収納体との間の残量偏差ΔＶ1が演算される（＃１１）。その際、第１シート収納体と第２シート収納体の両方が「空」（プリントシート切れ）なら、第１フラグに“１”がセットされる（＃１２）。さらに、第２シートマガジン１２の第３シート収納体と第４シート収納体との間の残量偏差ΔＶ２が演算される（＃１３）。その際、第３シート収納体と第４シート収納体の両方が「空」（プリントシート切れ）なら、第２フラグに“１”がセットされる（＃１４）。
【００３１】
以上の残量チェックが終了すると、「第１フラグが“１”でなく、かつ第２フラグが“１”でない」という判定条件がチェックされる（＃１５）。この判定条件が成立しない場合は（＃１５No分岐）、第１シートマガジン１１及び第２シートマガジンに属する両方シート収納体が空（プリントシート切れ）の状態であるため、プリントそのものができないことになる。従って、プリントを行うためにプリントシートの充填を報知するためのペーパ充填指令が出力される（＃２１）。この判定条件が成立する場合は（＃１５Yes分岐）、いずれかのシート収納体にプリント可能なプリントシートが存在していることになるので、さらに、前回のプリント処理が複列プリントであったかどうかがチェックされる（＃１６）。前回が複列プリントであった場合は（＃１６Yes分岐）、分岐レーンの切り換え時間を節約するため、前回使用したシートマガジンを選択し、その選択したシートマガジンに属するシート収納体のうちの残量の多いほうのシート収納体の使用を指令する（＃１８）。
【００３２】
ステップ＃１６の判定条件が成立しない場合は（＃１６No分岐）、さらに第１シート収納体と第２シート収納体との間の残量偏差ΔＶ1と、第３シート収納体と第４シート収納体との間の残量偏差ΔＶ２が比較され、残量偏差ΔＶ1が大きい場合（＃１７Yes分岐）は、第１シートマガジン１１におけるシート収納体の残量の違いを調整するため、第１シートマガジン１１における残量の多いほうのシート収納体の使用を指令する（＃９）。残量偏差ΔＶ1が大きくない場合（＃１７No分岐）は、第２シートマガジン１２におけるシート収納体の残量の違いを調整するため、第２シートマガジン１２における残量の多いほうのシート収納体の使用を指令する（＃２０）。
【００３３】
なお、上述した制御ルーチンにおいて、シート収納体に処理対象のプリント注文で使用できないプリントシートが収納されている場合には、そのシート収納体は「空」扱いされる。
【産業上の利用可能性】
【００３４】
本発明は、互いに平行な複数の搬送レーンを備え、この複数の搬送レーンを通じて搬送されてくる複列のプリントシートに画像を形成する複列プリントが可能な全ての種類のプリント装置に適用することができる。
【符号の説明】
【００３５】
３：画像処理モジュール
４：シート選択モジュール
４１：プリントモード決定部
４２：使用収納体選択手段
４３：ルールテーブル
４４：シート残量算定部
４５：シート可能収納体管理部
４６：注文単位使用量算定部
５：プリント制御モジュール
【図１】
2011167983.tif 000003
【図２】
2011167983.tif 000004
【図３】
2011167983.tif 000005
【図４】
2011167983.tif 000006
【図５】
2011167983.tif 000007